(57)【要約】      （修正有）【課題】取付幅が調節可能なドアアタッチメントの提供。【解決手段】ドア１６の頂部に取り付けられるよう構成されたドアアタッチメント１０であって、当該ドアタッチメント１０は、ドア１６の頂部に少なくとも一部分が載置されるよう形成された水平支持部材１２と、水平支持部材１２から延設され、ドア１６の第１の面と接するよう形成された第１の直立部材１２と、水平支持部材から延設された第２の直立部材１４とを備えている。第２の直立部材１４は、ドアの第１の面の裏側の第２の面と接するよう形成された第１の面を有する。第２の直立部材１４は、水平支持部材１２を摺動自在に支持し、水平支持部材１２の長手方向に沿ってドア１６の第２の面から離れる方向に延びる取付機構を有する。また、係合時に取付機構に対する水平支持部材１２の動きを妨げるロック機構が設けられる。【選択図】図１
2010216230.tif 000002
【特許請求の範囲】
【請求項１】
表裏をなす第１及び第２の面を有するドアの頂部に取り付けられるよう構成されたドアアタッチメントであって、
前記ドアの頂部に少なくとも一部分が載置されるよう形成された水平支持部材と、
前記水平支持部材から延び、前記ドアの第１の面と接するよう形成された第１の直立部材と、
前記ドアの第２の面と接するよう形成された第１の面を有して、水平支持部材から延設された第２の直立部材と、を備え、
前記第２の直立部材は、
前記水平支持部材を摺動可能に支持し、前記水平支持部材の長手方向に沿って前記ドアの第２の面から離れる方向に延設された取付機構と、
取付機構に対して水平支持部材が少なくとも一方向に移動しないように、水平支持部材を解除可能に固定するロック機構とを有することを特徴とするドアアタッチメント。
【請求項２】
前記水平支持部材が矩形状の断面を有することを特徴とする請求項１記載のドアアタッチメント。
【請求項３】
前記取付機構は、少なくとも部分的に前記水平支持部材を取り囲むことを特徴とする請求項１記載のドアアタッチメント。
【請求項４】
前記第１の直立部材は、前記水平支持部材と一体をなして形成されていることを特徴とする請求項１記載のドアアタッチメント。
【請求項５】
前記取付機構は、所定の範囲にわたって連続的に位置を調節可能であることを特徴とする請求項１記載のドアアタッチメント。
【請求項６】
前記取付機構は、所定の範囲にわたって段階的に位置を調節可能であることを特徴とする請求項１記載のドアアタッチメント。
【請求項７】
前記ロック機構は、
前記水平支持部材及び前記取付機構のうちの一方の長手方向に形成されたのこぎり歯と、
前記水平支持部材及び前記取付機構のうちの他方に設けられ、前記のこぎり歯と係合したとき前記のこぎり歯と協働して取付機構の動きを妨げる噛合手段とを備えることを特徴とする請求項１記載のドアアタッチメント。
【請求項８】
前記ロック機構は、
前記水平支持部材及び前記取付機構のうちの一方の長手方向に複数設けられた穴部と、
前記水平支持部材及び前記取付機構のうちの他方に設けられ、前記複数の穴から選択された穴に取り外し可能に結合するピン部と、を備えることを特徴とする請求項１記載のドアアタッチメント。
【請求項９】
前記ロック機構は、
前記水平支持部材の一部に長手方向に形成された長孔と、
前記取付機構から前記長孔を通って延設されたネジ棒と、
前記ネジ棒に螺合し、前記取付機構に前記水平支持材を固定するネジ部材と、を備える特徴とする請求項１記載のドアアタッチメント。
【請求項１０】
前記ネジ部材は蝶ナットであることを特徴とする請求項９記載のドアアタッチメント。
【請求項１１】
前記ロック機構は、前記取付機構と前記水平支持部材との間の摩擦力を増大させることにより、前記取付機構と前記水平支持部材との間の相対移動を妨げるよう形成されたＣ型クランプ特徴とする請求項１記載のドアアタッチメント。
【請求項１２】
前記第１の直立部材は、
前記水平支持部材を摺動可能に支持し、前記水平支持部材の長手方向に沿って前記ドアの第１の面から離れる方向に延設された第２の取付機構を備えていることを特徴とする請求項１記載のドアアタッチメント。
【請求項１３】
前記第１及び第２の直立部材の少なくとも一方にフック部材を備えることを特徴とする請求項１記載のドアアタッチメント。
【請求項１４】
前記第１及び第２の直立部材の少なくとも一方にズボン掛けを備えることを特徴とする請求項１記載のドアアタッチメント。
【請求項１５】
前記ロック機構は、前記取付機構と前記水平支持部材との間の摩擦力を増大させることにより、前記取付機構と前記水平支持部材との間の相対移動を妨げるよう形成された止めネジであることを特徴とする請求項１記載のドアアタッチメント。
【請求項１６】
前記第１及び第２の直立部材の少なくとも一方にフック部材を備えることを特徴とする請求項１記載のドアアタッチメント。
【請求項１７】
前記第１及び第２の直立部材の少なくとも一方に棚板部材を備えることを特徴とする請求項１記載のドアアタッチメント。
【請求項１８】
前記取付部材は通路を備え、
前記水平支持部材は、水平支持部材が通路からの外れないようにするくさび形状の突起を備えることを特徴とする請求項１記載のドアアタッチメント。
【発明の詳細な説明】
【技術分野】
【０００１】
本発明はドアアタッチメントに関するものであり、詳しくはあらゆるドア幅に合わせて調節可能にドア上部に設けられるドアアタッチメントである。
【背景技術】
【０００２】
ドア上部に設けられるハンガーは、長年にわたって使用されている。一般的には、そのようなハンガーの基本構成は、金属製であったりプラスチック成形された部材が含まれており、この部材はドア頂部を跨いで掛けられ、ドア表面に沿って下方に延び、その終端には吊るし物を支持するのに用いられるフックを備えている。このようなハンガーの利点は、ドアに何かを永久的に取り付けることなく、花輪（リース）、洋服掛け等の品物を掛けることができることである。このことは特に、一年のうち比較的短い期間のみにドアに掛ける、花輪のような季節物の品物を掛けるのに都合がよい。
【０００３】
図１３は従来技術のドアフックであり、大部分のドアに適合するように定められた固定幅Ｗを備えている。しかしながら、図１３に示すドアフックでは、ドア幅が変われば緩みが生じ、しっかり固定されなくなる。さらに、ドアフックがしっかり固定されていないことで、移動しやすくなり、結果としてドアを傷つけてしまう。そこで、ドアフックをしっかりと固定するため、使用者はドアと２つの脚部１１０、１２０の一方との間に部材を加えて、ドアフックとドアとの間の余分な隙間を最小限にしていた。さらに、一部のメーカーでは、脚部１１０、１２０がなす角度を鋭角なものとし、ドアフックの脚部間でドアを挟持するようにして、できるだけ移動しにくくしていた。
【発明の概要】
【発明が解決しようとする課題】
【０００４】
しかしながら、従来のドアフックには、どのドア幅でも適合可能なドアフックアタッチメントを提供するものがなかった。
【課題を解決するための手段】
【０００５】
本発明の一態様では、ドアハンガーは、ドアの頂部及びドアの両面と接するように形成されている形状をなしている。ドアが閉じているとき、ドア頂部とドア枠の間には水平方向に延設された部材（水平支持部材）のみが配置される。当該ドアハンガーは、摺動可能に設けられた直立部材を少なくとも１つ備え、当該直立部材はドアハンガーをしっかりと取り付けられるように、ドアハンガーの取付幅を調節可能に形成されている。
【０００６】
このように、本発明は、表裏をなす第１、第２の面を持つドアの頂部に取り付けられるドアアタッチメントに関する。
当該ドアアタッチメントは、ドアの頂部に少なくとも一部分が載置されるよう形成された水平支持部材と、水平支持部材から延びドアの第１の面と接するように形成された第１の直立部材と、水平支持部材から延びる第２の直立部材とを有する。当該第２の直立部材は、ドアの第２の面と接するよう形成された第１の面を有し、水平支持部材を摺動自在に支持するよう形成された取付機構を有している。当該取付機構は、水平支持部材の長手方向に沿ってドアの第２の面から離れる方向に延びている。また第２の直立部材は、取付機構に対して水平支持部材が少なくとも一方向に移動しないように、水平支持部材を解除可能に固定するロック機構を有している。
【０００７】
本発明に係るその他の目的及び特徴は、添付の図面とともに以下の詳細な説明より明らかとなる。ただし、図面は単に例示のためのものであり、発明の範囲を規定するものではなく、本発明は特許請求の範囲の記載に基づき定められるものである。また、図面は、必ずしも一定の比率で図示したものではなく、特に明記しない限り、ここに記述される構造及び手順を概念的に示すことを目的とするものにすぎない。
【図面の簡単な説明】
【０００８】
【図１】本発明に係るドアアタッチメントの斜視図である。
【図２】図１のドアアタッチメントの分解斜視図である。
【図３】図１、２のドアアタッチメントの側面図である。
【図４】図１の４−４線に沿ったロック機構の部分断面図である。
【図５Ａ】本発明の第２実施形態に係るドアアタッチメントの斜視図である。
【図５Ｂ】本発明の第３実施形態に係るドアアタッチメントの斜視図である。
【図６】本発明の第４実施形態に係るドアアタッチメントの分解斜視図である。
【図７】組立状態時の図６のドアアタッチメントの部分断面図である。
【図８】本発明の第５実施形態に係るドアアタッチメントの側面図である。
【図９】本発明のドアアタッチメントに使用されるフック部材である。
【図１０】本発明のドアアタッチメントに使用される棚板部材である。
【図１１】本発明のドアアタッチメントに使用されるハンガー部材である。
【図１２】本発明の第６実施形態に係るドアアタッチメントの側面図である。
【図１３】従来技術に係るドアフックである。
【発明を実施するための最良の形態】
【０００９】
ドアにしっかり適合するよう調節可能なドアアタッチメントについて説明する。好ましい実施形態において、第１のＬ字状部材と第２の直立部材が、例えばドアのように、ものによって幅が一定ではない区画体を、両者の間に挟むことができるように配置されている。第２の直立部材は、第１のＬ字状部材をその中に保持するように構成されている。また、ロック機構が設けられ、ロック機構が作動することにより、Ｌ字状部材が動かないようになっている。
【００１０】
図１に示すように、本発明に係るドアアタッチメント１０は、水平支持部材、即ち第１のＬ字状部材１２と、第２の直立部材１４とを有している。２つの部材１２、１４はドア１６に使用するために配設される。ドアアタッチメント１０は、ドア幅２０Ａに適合するよう幅２０が可変可能に構成されている。Ｌ字状部材１２は、ライン２６に沿って水平方向に移動可能であり、双方向矢印２６によって示す方向へのＬ字状部材１２の水平移動により、Ｌ字状部材１２と第２の直立部材１４とで画成される間隙１８が可変となっている。
【００１１】
図２に示すように、Ｌ字状部材１２は、のこぎり歯状に形成された第１の部分３４を有している。当該Ｌ字状部材１２は、スロット２４を介して直立部材１４と結合するよう形成されている。スロット２４は、スロット２４の幅がＬ字状部材１２の幅よりも僅かに大きくなるように２つの側壁２２同士が互いに離間している。また、直立部材１４には弾性つまみ部３０が設けられている。当該つまみ部３０は、図４に示すように、Ｌ字状部材１２ののこぎり歯３４とかみ合うのぎり歯を有している。つまみ部３０ののこぎり歯がＬ字状部材１２ののこぎり歯３４に噛合すると、スロット２４内でＬ字状部材１２は、長手方向における少なくとも一方向の動きが妨げられる。また、本発明の一実施形態では、直立部材１４は、部品取付部４２を有する。詳しくは後述するが、部品取付部４２はドア１６に確実に部品を取り付けるために形成されている。
【００１２】
図３は、ドアアタッチメント１０使用時の状態を示している。図示の通り、Ｌ字状部材１２は、直立部材１４がドア１６の第１の面と接するようにして、ドア上に配設される。そこからＬ字状部材１２は、矢印２６で示すように図３の左方向にドア１６の第２の面に向かって動かされる。ドアアタッチメント１０がドア１６にしっかりと取り付けられると、Ｌ字状部材１２はつまみ部３０によってそれ以上動かないように固定される。このＬ字状部材１２を移動させるために固定を解除するときには、つまみ部３０を矢印３０’の方向に動かせばよい。また、本発明の一実施形態では、ドアアタッチメント１０からつめ部３８が延びている。このつめ部３８は、仮想線で示すようなダッフルバッグ４０のような鞄等を掛けるために形成されている。図示のように、ダッフルバッグストラップ４０’はつめ部３８を覆うように配設される。
【００１３】
図４は、つまみ部３０がＬ字状部材１２ののこぎり歯３４と噛合した状態を示した部分断面図である。図示の通り、のこぎり歯３４は、つまみ部３０を解除することなくＬ字状部材１２を方向Ｔに移動可能なように傾斜した面を有しているのが好ましい。この場合、つまみ部３０は、Ｌ字状部材１２を方向Ｔとは逆の方向に移動させて、直立部材１４から離すときに解除される。
【００１４】
図５Ａはドアアタッチメント１０の第２実施形態である。図示のように、Ｌ字状部材１２’には長手方向に延びた長孔４４が形成されている。直立部材１４は、長孔４４を貫通してクロスメンバ５２に延びるネジ棒４６を有している。また、蝶ナット４８またはそれに相当するものが、ネジ棒４６に螺合して締め付けられることにより、Ｌ字状部材１２’が所定位置に固定される。このような実施形態の場合、図１に示した段階的に調整可能な間隙１８と異なり、連続的に調整可能な間隙１８’を有することとなる。また、直立部材１４は、当該直立部材１４の上面５０に形成した貫通孔と、この貫通孔に対応して設けられたクロスメンバ５２のネジ孔とで代替した構成としてもよいことは、当業者であれば容易に理解できる。この場合、上面５０の貫通孔を通してボルトを挿入し、ドア幅２０Ａに合わせた適切な間隔１８’とした状態で、当該ボルトを締結することで上面５０がＬ字状部材１２’に押圧され、Ｌ字状部材１２’が固定される。
【００１５】
図５Ｂは、図５Ａのロック機構の変形例を示している。図５Ｂでは、Ｌ字状部材１２は長孔を備えておらず、直立部材１４の上面５０に止めネジ８０が螺合されている。ドア幅２０Ａに合わせた適切な間隙１８とした状態で、当該止めネジ８０が締結されることで、上面５０がＬ字状部材１２に押圧され、Ｌ字状部材１２が固定される。
図６は、つまみ部３０’上に設けられたポスト５６（ピン部）と、Ｌ字状部材１２''に等間隔に穿設された複数の孔５４とを有した第２のロック機構を示している。図ではつまみ部３０’に１つのポスト５６のみが示されているが、複数のポスト５６を備えていてもよく、それらは孔５４の間隔と同じ間隔でそれぞれ設けられる。さらに、孔５４は貫通孔でも有底穴であっても構わない。なお、図示した孔５４及びポスト５６は互いに適合した円形断面を有するものであるが、孔５４及びポスト５６は互いに適合した断面形状を有していれば、どのような形状であってもよい。
【００１６】
図７はポスト５６及び貫通孔５４を備えたつまみ部３０’の断面図である。また、図７は有底穴５８も示している。また、Ｌ字状部材１２の表面にはくさび状突出部７５が形成されている。少なくとも１つのスロット２４とくさび状突出部７５とは、くさび状突出部７５がスロット２４を介して一方向にだけ移動するような十分な弾性を有しているのが好ましい。これにより、Ｌ字状部材１２は、図７に示すよう一度係合すれば、第２の直立部材１４から外れることはない。
【００１７】
図８に示す他の実施形態では、Ｃ型クランプ６０が直立部材１４の所定位置でＬ字状部材を固定する。図８にはＣ型クランプ６０が概略的に示されているが、一実施形態では、直立部材１４の上面５０のネジ孔にボルトを締結して、摩擦によりＬ字状部材１２を所定位置に固定するようになっている。言い換えれば、Ｃ型クランプ６０が通路２４を形成している。
【００１８】
図９は、図２で示した部品取付部４２に取り付けられる部品の例である。図９に示すフックは部品取付部４２に係合する円形部材６２を備えている。この他に、部品取付部４２に取り付けられる部品は、ハンガーホルダー、棚板、バスケット、またはその他所望の部品とすることができる。
図１０には、直立部材１４''の一部として形成された棚板部材６４が示されている。図示するように直立部材１４''には、上述したようにしてＬ字状部材１２が係合するスロット２４が設けられている。直立部材１４''には、上述したロック機構の少なくとも１つを備えている。別の実施形態では（図示せず）、棚板部材６４が、直立部材１４の部品取付部４２と結合するよう形成された円形部材６２のような結合部材を有している。
【００１９】
図１１には、ハンガー隔離部６６とフック６７を有するハンガーホルダーが示されている。直立部材１４'''は、Ｌ字状部材１２と結合するよう形成されたスロット２４を有している。なお、上述したどのロック機構も図１１の部材に使用することができる。
図１２に示す本発明の別の実施形態に係るドアアタッチメント１００は、第１の水平支持部材１２０と、２つの直立部材１４、１４とを備えている。これら３つの部材１２０、１４、１４はドアに用いるために配設される。ドアアタッチメント１００は、両直立部材１４を水平方向に移動可能にしてドアの幅２０Ａに適合するように形成されている。
【００２０】
以上のように、本発明の好ましい実施形態に適用した場合の本発明の基本的な新規の特徴について図示をし、説明をして、指摘してきたが、例示した部材の形状や詳細について、及びその機能において、さまざまな省略、代替、変更が、発明の真意に外れることなく、当業者によって行われうると理解されるであろう。例えば、実質的に同一の方法で実質的に同一の機能を奏し、同一の結果を得るような、各構成要素及び／又は方法の全てのいかなる組み合わせも本発明に含まれると明確に介すべきである。さらに、本発明の実施形態と関連して示され及び／又は説明された、構造、及び／又は要素、及び／又は方法行程は、一般的な設計的選択事項として、開示、記述、または提案されたあらゆる形態或いは例にも組み入れることが可能であると認識すべきである。したがって、添付の特許請求の範囲によってのみ本発明の範囲が定まるものである。
【図１】
2010216230.tif 000003
【図２】
2010216230.tif 000004
【図３】
2010216230.tif 000005
【図４】
2010216230.tif 000006
【図５Ａ】
2010216230.tif 000007
【図５Ｂ】
2010216230.tif 000008
【図６】
2010216230.tif 000009
【図７】
2010216230.tif 000010
【図８】
2010216230.tif 000011
【図９】
2010216230.tif 000012
【図１０】
2010216230.tif 000013
【図１１】
2010216230.tif 000014
【図１２】
2010216230.tif 000015
【図１３】
2010216230.tif 000016
【外国語明細書】
[Title of the Invention]
DOOR ATTACHMENT
[BACKGROUND OF THE INVENTION]
The present invention relates to door attachments, and more specifically, to an over-the-door attachment that is adjustable to any width door.
Over-the-door hangers have been used for a number of years.  The basic structure of such a hanger generally includes a metal or molded plastic piece that can be hung over the top of a door and extends down the face of the door, terminating in a hook used to support the item being hung.  The advantage of these hangers is that items such as wreaths, hangers, and the like can be hung without permanently attaching anything to the door.  This is especially useful for hanging a seasonal item, such as a wreath, which is only hung on the door for a relatively short period of time during the year.
Figure 13 is a prior art over-door hook having a fixed width W that is designed to fit most doors.  However, given the variation in door widths, the over-door hook shown in Fig. 13 is generally loose on the door top and is therefore not secure.  Further, because this over-door hook is not tight, it tends to move thereby damaging the door.  To create a tight fit for the over-door hooks, users have added material between the door and one of the leg portions 110, and 120 to minimize the excess space between the over-door hook and the door.  Further, some manufacturers have created an acute angle between legs 110 and 120 to try to squeeze the door between the legs of the over-door hook thereby minimizing the potential for movement.  However, none of these prior art over-door hooks provide an over-door hook attachment adaptable to any width door.
[SUMMARY OF THE INVENTION]
According to one embodiment of the invention, an over-door hanger is configured to contact a top of a door and opposing faces of the door.  When the door is in its closed position, only a horizontally extending element is arranged between the door top and a doorjamb.  The over-door hanger has at least one slideably mounted vertical member configured to adjust a mounting width of the over-door hanger so that the over-door hanger is snugly affixed to the door.  
Briefly stated, the invention is directed to a door attachment configured for mounting over a top of a door, the door having opposed first and second faces.  The door attachment includes a horizontal support configured to at least partially rest on the top of the door, a first substantially vertical member extending from the horizontal support configured to contact the first face of the door, and a second substantially vertical member extending from the first horizontal support.  The second substantially vertical member has a first surface configured to contact the second face of the door.  The second substantially vertical member includes a mounting mechanism configured to slideably receive the horizontal support, the mounting mechanism extending in a longitudinal direction of the horizontal support away from the second face of the door and a locking mechanism configured to releaseably secure the horizontal support against movement in at least one direction relative to the mounting mechanism.
Other objects and features of the present invention will become apparent from the following detailed description considered in conjunction with the accompanying drawings.  It is to be understood, however, that the drawings are designed solely for purposes of illustration and not as a definition of the limits of the invention, for which reference should be made to the appended claims.  It should be further understood that the drawings are not necessarily drawn to scale and that, unless otherwise indicated, they are merely intended to conceptually illustrate the structures and procedures described herein.
[BRIEF DESCRIPTION OF THE DRAWINGS]
In the drawings:
Figure 1 is a perspective view of an over-door attachment in accordance with the invention;
Figure 2 is a perspective exploded view of the over-door attachment of Fig. 1;
Figure 3 is a side view of the over-door attachment of Figs. 1 and 2;
Figure 4 is a partial sectional view of a locking mechanism along line 4-4 of Fig. 1;
Figure 5A is a perspective view of an over-door attachment according to a second embodiment of the invention;
Figure 5B is a perspective view of an over-door attachment according to a third embodiment of the invention;
Figure 6 is a perspective exploded view of the over-door attachment according to a fourth embodiment of the present invention;
Figure 7 is a partial sectional view of the over-door attachment of Fig. 6 when assembled;
Figure 8 is a side view of an over-door attachment according to a fifth embodiment of the invention;
Figure 9 is a hook attachment used with the inventive over-door attachment;
Figure 10 is a shelf attachment used with the inventive over-door attachment;
Figure 11 is a hanger attachment used with the inventive over-door attachment; 
Figure 12 is a side view of an over-door attachment in accordance with a sixth embodiment of the invention; and
Figure 13 is an over-door hook according to the prior art.
[DETAILED DESCRIPTION OF THE PREFERRED EMBODIMENT]
Disclosed is an over-door attachment that is adjustable to fit snugly on a door.  In a preferred embodiment, a first L-shaped door component and a second vertically oriented component are operatively arranged with each other to bound therebetween a variable width compartment, such as a door.  The second vertically oriented component is configured for retaining therein the first L-shaped component.  A locking mechanism is provided to prevent motion of the L-shaped component when the lock mechanism is engaged.  
As shown in Fig. 1, an over-door attachment 10 in accordance with the invention includes a horizontal support, namely a first L-shaped component 12 and a second vertically oriented door component 14.  The two components 12, 14 are arranged for use on a door 16.  The over-door attachment 10 is configured so that width 20 is variable to match a door width 20A.  The L-shaped component 12 is laterally moveable along line 26.  Lateral motion of L-shaped member 12 in the directions shown by double-headed arrow 26 varies the space 18 bounded by L-shaped member 12 and the second vertically oriented door component 14.  
As shown in Fig. 2, the L-shaped component 12 includes a first portion 34 having a sawtooth formed therein.  The L-shaped component 12 is configured to mate with the vertically oriented component 14 through a slot 24.  Slot 24 has sidewalls 22 spaced apart from one another so that the width of slot 24 is only slightly larger than the width of L-shaped component 12.  A resilient tab 30 is provided on component 14.  Tab 30 includes a sawtooth configured to mate with the sawtooth 34 of L-shaped component 12 as shown in Fig. 4.  When the sawtooth of tab 30 mates with the sawtooth 34 of the L-shaped component 12, the L- shaped component 12 is prevented from moving longitudinally in at least one direction in slot 24.  In one embodiment of the invention, the vertical component 14 includes a component mount 42.  As discussed in more detail below, the component mount 42 is configured to securely mount components to the door 16.  
Figure 3 shows the over-door attachment 10 in operation.  As shown, the first L-shaped component 12 is placed over the door 16 such that the vertically oriented component 14 is against a first face of the door 16.  The L-shaped component 12 is then moved toward a second face of door 16 as shown by arrow 26 in the direction to the left in Fig. 3.  When the door attachment 10 is snugly affixed to door 16, L-shaped component 12 is secured against further movement by tab 30.  To release the L-shaped component 12 for lateral motion, tab 30 is moved in a direction of arrow 30’.  In one embodiment of the invention, a tab 38 extends from over-door attachment 10.  The tab 38 is configured for hanging bags and the like such as a duffle bag 40, shown in phantom.  As shown, a duffle bag strap 40’ is placed over a top of the tab 38.
Figure 4 is a partial cross section showing the tab 30 mating with the sawtooth 34 of the L-shaped component 12.  As shown, the sawtooth 34 is preferably angled so that the L-shaped component 12 can be in a direction T without releasing tab 30.  Tab 30 is then released to move the L-shaped component 12 away from vertical component 14, in a direction opposite direction T.  
Figure 5A is a second embodiment of the over-door attachment 10.  As shown, the L-shaped component 12’ has a longitudinally extending slot 44.  The vertically extending component 14 includes a threaded rod 46 that extends through slot 44 to cross member 52.  A wing nut 48 or the like is tightened on threaded rod 46 to hold the L-shaped component 12’ in place.  This embodiment provides a continuously adjustable space 18’, in contrast to the stepwise adjustable space 18 shown in Fig. 1.  As would be readily understood by one of ordinary skill in the art, the vertical component 14 can alternatively include a through hole on its top surface 50 and a threaded portion in cross member 52 corresponding to the through hole on the top surface 50.  A threaded screw can then be inserted through a hole on surface 50 and tightened so that the top surface 50 is pressed against the L-shaped component 12’ to prevent movement of the L-shaped component 12’ once the appropriate space 18’ corresponding to the door width 20A is met.  
Figure 5B depicts a variation of the locking mechanism shown in Fig. 5A.  In Fig. 5B, the L-shaped component 12 does not have a slot.  A setscrew 80 is threaded into top surface 50 of the vertical component 14.  Setscrew 80 is tightened so that it is pressed against the L-shaped component 12 to prevent movement of the L-shaped component 12 once the appropriate space 18 corresponding to the door width 20A is met.  
Figure 6 depicts a second locking mechanism that includes a post 56 mounted on tab 30’ and a plurality of evenly spaced holes 54 on L-shaped component 12’’.  While tab 30 is shown including only a single post 56, it should be noted that a plurality of posts 56 may be used, spaced apart from one another by a distance equal to the spacing between holes 54.  Further, holes 54 may be through holes or blind holes.  It should be noted that holes 54 and posts 56, while shown having matching circular cross sections, holes 54 and posts 56 can have any shape as long as they have matching cross section.  
Figure 7 is a cross sectional view of a tab 30’ with post 56 and a through hole 54.  Figure 7 also shows a blind hole 58.  A wedge shaped protrusion 75 extends from a surface of L-shaped member 12.  Preferably, at least one of slot 24 and wedge shaped protrusion 75 is sufficiently resilient so that the wedge shaped protrusion 75 travels through slot 24 in only one direction.  In this manner, the L-shaped member 12 cannot be disengaged from the second vertically oriented door component 14 once it is engaged as shown in Figure 7.  
In an alternative embodiment shown in Fig. 8, a C-clamp 60 locks the L-shaped component in place to vertically extending component 14.  While the C-clamp 60 is depicted schematically, it should be noted that in one embodiment, a threaded hole in a top surface 50 of vertically extending component 14 has a screw threaded therein to frictionally lock L-shaped component 12 in place.  In other words, the channel 24 forms the C-clamp 60.  
Figure 9 is an example of a component that is received in component mount 42 shown in Fig. 2.  Figure 9 depicts a hook having a circular body 62 configured to mate with the component mount 42.  Alternatively, the component that is received in component mount 42 can be a hanger holder, a shelf, a basket, or any other desired component.  
Figure 10 depicts a shelf 64 that is formed as a portion of vertically extending component 14’’.  As shown, there is a slot 24 configured to mate with L-shaped component 12, as discussed above.  The vertically extending component 14’’ includes at least one of the locking mechanisms discussed above.  In an alternative embodiment (not shown), the shelf 64 includes a mating component similar to mating component 62 configured to mate with component mount 42 of the vertically extending component 14.
Figure 11 depicts a hanger holder including hanger separators 66 and a hook 67.  The vertically extending member 14’’’ includes a slot 24 configured to mate with L-shaped component 12.  It should be noted that any of the locking mechanisms discussed above could be used with the assembly shown in Fig 11.
As shown in Fig. 12, an over-door attachment 100 in accordance with an alternative embodiment invention that includes a first component 120 and two vertically oriented door components 14.  The three components 120, 14 are arranged for use on the door 16.  The over-door attachment 100 is configured so that both vertically oriented door components 14 are laterally moveable to match the door width 20A.   
Thus, while there have shown and described and pointed out fundamental novel features of the invention as applied to preferred embodiments thereof, it will be understood that various omissions and substitutions and changes in the form and details of the devices illustrated, and in their operation, may be made by those skilled in the art without departing from the spirit of the invention.  For example, it is expressly intended that all combinations of those elements and/or method steps, which perform substantially the same function in substantially the same way to achieve the same results, are within the scope of the invention.  Moreover, it should be recognized that structures and/or elements and/or method steps shown and/or described in connection with any disclosed form or embodiment of the invention may be incorporated in any other disclosed or described or suggested form or embodiment as a general matter of design choice.  It is the intention, therefore, to be limited only as indicated by the scope of the claims appended hereto.
1.  A door attachment configured for mounting over a top of a door, the door having opposed first and second faces, the door attachment comprising:
a horizontal support configured to at least partially rest on the top of the door; 
a first substantially vertical member extending from the horizontal support configured to contact the first face of the door;
a second substantially vertical member extending from the first horizontal support, the second substantially vertical member having a first surface configured to contact the second face of the door, the second substantially vertical member comprising:
a mounting mechanism configured to slideably receive the horizontal support, the mounting mechanism extending in a longitudinal direction of the horizontal support away from the second face of the door; and 
a locking mechanism configured to releaseably secure the horizontal support against movement in at least one direction relative to the mounting mechanism.
2.  The door attachment of claim 1, wherein the horizontal support has a substantially rectangular cross section.
3.  The door attachment of claim 1, wherein the mounting mechanism at least partially encircles the horizontal support.
4.  The door attachment of claim 1, wherein the first substantially vertical member is integrally formed with the horizontal support.
5.  The door attachment of claim 1, wherein the mounting mechanism is continuously adjustable over a predetermined range.
6.  The door attachment of claim 1, wherein the mounting mechanism is adjustable over a predetermined range in a stepwise manner.
7.  The door attachment of claim 1, wherein the lock mechanism comprises:
a sawtooth on a longitudinal portion of one of the horizontal support and the mounting mechanism; and
means for engaging the sawtooth, positioned on the other of the horizontal support and the mounting mechanism and configured to cooperate with the sawtooth to prevent movement of the mounting mechanism when the means for engaging engages the sawtooth. 
8.  The door attachment of claim 1, wherein the lock mechanism comprises:
a plurality of holes on a longitudinal portion of one of the horizontal support and the mounting mechanism; and
a peg on the other of the horizontal support and the mounting mechanism, the peg being configured to removeably mate with a selected one of the plural holes.
9.  The door attachment of claim 1, wherein the lock mechanism comprises:
a longitudinal slot extending over a portion of the horizontal support; 
a threaded post extending from the mounting mechanism through the slot; and
a threaded element configured to thread on the threaded post and lock the mounting mechanism to the horizontal support.
10.  The door attachment of claim 9, wherein the threaded element is a wing nut.
11.  The door attachment of claim 1, wherein the locking mechanism is a C-clamp configured to increase a friction between the mounting mechanism and the horizontal support to prevent relative movement therebetween.
12.  The door attachment of claim 1, wherein the first substantially vertical member comprises:
a second mounting mechanism configured to slideably receive the horizontal support, the second mounting mechanism extending in a longitudinal direction of the horizontal support away from the first face of the door.
13.  The door attachment of claim 1, wherein at least one of the first and second substantially vertical members further comprises a hook.
14.  The door attachment of claim 1, wherein at least one of the first and second substantially vertical members further comprises a pants holder.
15.  The door attachment of claim 1, wherein the locking mechanism is a setscrew configured to increase a friction between the mounting mechanism and the horizontal support to prevent relative movement therebetween.
16.  The door attachment of claim 1, wherein at least one of the first and second substantially vertical members further comprises a hook.
17.  The door attachment of claim 1, wherein at least one of the first and second substantially vertical members further comprises a shelf. 
18.  The door attachment of claim 1, wherein 
the mounting member comprises a channel, and 
the horizontal support comprises a wedge shaped protrusion configured to prevent removal of the horizontal support from the channel.
1.     Abstract
A door attachment configured for mounting over a top of a door, the door attachment including a horizontal support configured to at least partially rest on the top of the door; a first substantially vertical member extending from the horizontal support configured to contact a first face of the door; and a second substantially vertical member extending from the first horizontal support.  The second substantially vertical member has a first surface configured to contact a second face of the door opposite the first face of the door.  The second substantially vertical member includes a mounting mechanism configured to slideably receive the horizontal support, the mounting mechanism extending in a longitudinal direction of the horizontal support away from the second face of the door.  A locking mechanism is provided that prevents movement of the horizontal support relative to the mounting mechanism when engaged.
2.     Representative Drawing    Figure 1
【図１】
2010216230.tif 000017
【図２】
2010216230.tif 000018
【図３】
2010216230.tif 000019
【図４】
2010216230.tif 000020
【図５Ａ】
2010216230.tif 000021
【図５Ｂ】
2010216230.tif 000022
【図６】
2010216230.tif 000023
【図７】
2010216230.tif 000024
【図８】
2010216230.tif 000025
【図９】
2010216230.tif 000026
【図１０】
2010216230.tif 000027
【図１１】
2010216230.tif 000028
【図１２】
2010216230.tif 000029
【図１３】
2010216230.tif 000030